(57)【要約】【課題】高速な４Ｄプリンタを持つＭＦＰにおいて、偽造防止を確実に行う。【解決手段】画像データを入力する画像入力手段と、画像データの特徴を判定する特徴判定手段と、画像データを変換する画像変換手段と、複数色の画像を形成する画像形成手段と、画像形成手段の位置に対応して画像データを記憶する記憶手段を持つ画像形成システムにおいて、特徴判定手段の判定結果に応じて、記憶手段からの画像読み出し後に画像変換手段により画像データを変換することを特徴とする画像形成システム。【選択図】　　　　図１
2004015302.tif 000002
【特許請求の範囲】
【請求項１】
画像データを入力する画像入力手段と、前記画像入力手段により入力された画像データの特徴を判定する特徴判定手段と、画像データを変換する画像変換手段と、複数色の画像を形成する画像形成手段と、前記画像形成手段の位置に対応して画像データを記憶する記憶手段を持つ画像形成システムにおいて、前記特徴判定手段の判定結果に応じて、前記記憶手段からの画像読み出し後に画像変換手段により画像データを変換することを特徴とする画像形成システム。
【請求項２】
複数色の画像形成手段は、感光ドラムを含むことを特徴とする請求項１記載の画像形成システム。
【請求項３】
前記複数色の画像形成手段は、シアン、イエロー、マゼンダ、ブラックであることを特徴とする請求項１記載の画像形成システム。
【請求項４】
前記画像データの特徴は、特定の画像パターンであることを特徴とする請求項１記載の画像形成システム。
【請求項５】
前記画像変換手段は、所定の濃度以下の画像データを所定の濃度データに変換することを特徴とする請求項１記載の画像形成システム。
【発明の詳細な説明】
【０００１】
【発明の属する技術分野】
本発明は、感光ドラムを複数持つプリンタ及びスキャナ等からなる画像形成システムに関する。
【０００２】
【従来の技術】
近年、カラー画像データをデジタル的に処理し、カラープリンタに出力してカラー画像を得るカラープリント装置や、カラー原稿を色分解して電気的に読み取り、得られたカラー画像データを用紙上にプリント出力することにより、カラー画像複写を行う、いわゆるデジタルカラー複写機などのカラー印字システムの発展はめざましいものがある。これらの普及に伴い、紙幣や有価証券等が複製されうるといった問題も起こりつつある。これらの複製を防止するための手段として、紙幣や有価証券等の画像データの特徴や特定のパターンを認識することにより、出力画像データを黒く塗り潰す等の画像変換を行う対応が提案されている。
【０００３】
また、従来より電子写真方式のカラープリンタには、感光ドラムを１つ持ついわゆる１Ｄプリンタと、感光ドラムを複数個持つプリンタ、例えば感光ドラムを４つ持ついわゆる４Ｄプリンタ（タンデムプリンタ）が広く知られている。１Ｄプリンタでは、中間転写体と呼ばれる媒体もしくは、用紙を貼り付けた転写ドラムをそれぞれ４回転することにより、イエローＹ、マゼンダＭ、シアンＣ、ブラックＫの４色分の画像形成を行っている。また、４Ｄプリンタでは、各４色分の感光ドラムが独立に存在するため、一度に４色分の画像を形成することが可能である。よって用紙の移動速度が同じ場合、４Ｄプリンタは１Ｄプリンタより通常４倍のプリント速度となる。ただし、４Ｄプリンタでは複数の感光ドラムがそれぞれ所定の間隔で配置されているため、スキャナ等により読み取られたレッドＲ、グリーンＧ、ブルーＢの各色画像信号を画像処理してＹＭＣＫの４色に変換後、各色の感光ドラムの間隔分だけ画像信号を遅延する必要がある。よって、画像信号を遅延するためのメモリを必要とする。一方、用紙の移動速度が同じ場合にプリントスピードを早くするためには、プリント時の用紙と用紙の間の間隔であるいわゆる紙間を短くする必要がある。
【０００４】
また、ＭＦＰ（Ｍｕｌｔｉ　Ｆｕｎｃｔｉｏｎ　ｐｅｒｉｐｈｅｒａｌ：マルチファンクション周辺機器）と呼ばれる装置においては、スキャナ、ＰＤＬ、ＦＡＸ等様々な画像データがプリンタから出力されるとこが要求される。装置全体の生産性を上げるためには、これらの様々な画像データでかつ異なる画像サイズの画像データを連続してプリンタから出力することが要求される。
【０００５】
【発明が解決しようとする課題】
画像データの特徴や特定のパターンを認識するためには、ある程度の時間がかかるため、プリント速度が早くなるほど出力画像データの一部が変換されずにそのまま出力されてしまう可能性がある。
【０００６】
１Ｄプリンタにおいては、イエローＹ、マゼンダＭ、シアンＣ、ブラックＫの順に画像形成を行う場合、少なくともブラックＫの画像形成までにパターン認識を完了していれば、問題なく画像変換することが可能である。しかしながら、４Ｄプリンタの場合４色分を同時に画像処理するため、プリント速度が早くなれば、出力画像データの変換に間に合わなくなる可能性がある。
【０００７】
そこで、本発明では、スキャナから読み取られた画像信号の特徴データに基づき、感光ドラムの間隔分の画像データを遅延するメモリのリードライトをページごとに管理することにより、目的とするページのみの画像データを変換することを可能とする画像形成システムを提供することを目的とする。
【０００８】
【課題を解決するための手段】
上記課題を解決するために、本発明は以下（１）〜（５）の構成を備えるものである。
【０００９】
（１）画像データを入力する画像入力手段と、前記画像入力手段により入力された画像データの特徴を判定する特徴判定手段と、画像データを変換する画像変換手段と、複数色の画像を形成する画像形成手段と、前記画像形成手段の位置に対応して画像データを記憶する記憶手段を持つ画像形成システムにおいて、前記特徴判定手段の判定結果に応じて、前記記憶手段からの画像読み出し後に画像変換手段により画像データを変換するようにした。
【００１０】
（２）上記（１）において、複数色の画像形成手段は、感光ドラムを含むようにした。
【００１１】
（３）上記（１）において、前記複数色の画像形成手段は、シアン、イエロー、マゼンダ、ブラックであるようにした。
【００１２】
（４）上記（１）において、前記画像データの特徴は、特定の画像パターンであるようにした。
【００１３】
（５）上記（１）において、前記画像変換手段は、所定の濃度以下の画像データを所定の濃度データに変換するようにした。
【００１４】
【発明の実施の形態】
以下、図面を参照して本発明の実施例を詳細に説明する。
【００１５】
図１に本発明の実施の形態のシステムの概観図を示す。ネットワーク１０１に接続されたコンピュータ１０２はサーバ、コンピュータ１０３ａと１０３ｂはクライアントである。図示されていないがクライアントはこれらのほかにも多数接続されている。以下クライアントを代表して１０３と表記する。
【００１６】
更にネットワーク１０１にはＭＦＰ（Ｍｕｌｔｉ　Ｆｕｎｃｔｉｏｎ　ｐｅｒｉｐｈｅｒａｌ：マルチファンクション周辺機器）１０４が接続されている。ＭＦＰ１０４はフルカラーでスキャン、プリントなどが可能なカラー４ドラムＭＦＰである。また、図示していないがネットワーク１０１上にはＭＦＰを初め、スキャナ、プリンタあるいは、ＦＡＸなどのその他の機器も接続されている。
【００１７】
ここでコンピュータ１０３上では、いわゆるＤＴＰ（Ｄｅｓｋ　Ｔｏｐ　Ｐｕｂｌｉｓｈｉｎｇ：デスクトップパブリッシング）を実行するアプリケーションソフトウェアを動作させ、各種文書／図形が作成／編集される。コンピュータ１０３は作成された文書／図形をＰＤＬ（Ｐａｇｅ　Ｄｅｓｃｒｉｐｔｉｏｎ　Ｌａｎｇｕａｇｅ：ページ記述言語）に変換し、ネットワーク１０１を介してＭＦＰ１０４に送られてプリントアウトされる。
【００１８】
ＭＦＰ１０４は、コンピュータ１０２、１０３とネットワーク１０１を介して情報交換できる通信手段を有しており、ＭＦＰ１０４の情報や状態をコンピュータ１０２、１０３側に逐次知らせる仕組みとなっている。更に、コンピュータ１０２、１０３は、その情報を受けて動作するユーティリティソフトウェアを持っており、ＭＦＰ１０４はコンピュータ１０２、１０３により管理される。
【００１９】
〔ＭＦＰ１０４の構成〕
次に、図２を用いてＭＦＰ１０４の構成について説明する。但し、ＭＦＰ１０４は４ドラム形式のフルカラープリンタを有する。
【００２０】
ＭＦＰ１０４は、画像読み取りを行うスキャナ部２０１とそのスキャン画像データを画像処理するスキャナＩＰ部２０２、ファクシミリなどに代表される電話回線を利用した画像の送受信を行うＦＡＸ部２０３、更に、ネットワークを利用して画像データや装置情報をやり取りするＮＩＣ（Ｎｅｔｗｏｒｋ　Ｉｎｔｅｒｆａｃｅ　Ｃａｒｄ：ネットワークインターフェイスカード）部分２０４、コンピュータ１０３から送られてきたページ記述言語（ＰＤＬ）を画像信号に展開するＰＤＬ部２０５を有する。そして、ＭＦＰ１０４の使い方に応じてコア部２０６で画像信号を一時保存したり、経路を決定する。
【００２１】
次に、コア部２０６から出力された画像データは、プリンタＩＰ部２０７で画像処理された後、画像形成のためにプリンタ部２０９に送られる。プリンタ部２０９でプリントアウトされたシートはフィニッシャ部２１０へ送り込まれ、シートの仕分け処理やシートの仕上げ処理が行われる。
【００２２】
また、ディスプレイ部２１１は、画像をプリントせずに画像の内容を確認したり、プリントする前に画像の様子を確認する（プレビュー）ために用いられる。
【００２３】
〔スキャナ部２０１の構成〕
図３を用いてスキャナ部２０１の構成を説明する。３０１は原稿台ガラスであり、読み取られるべき原稿３０２が置かれる。原稿３０２は照明ランプ３０３により照射され、その反射光はミラー３０４、３０５、３０６を経て、レンズ３０７によりＣＣＤ３０８上に結像される。ミラー３０４、照明ランプ３０３を含む第１ミラーユニット３１０はミラー３０４は速度ｖで移動し、ミラー３０５、３０６を含む第２ミラーユニット３１１は速度１／２ｖで移動することにより、原稿３０２の全面を走査する。第１ミラーユニット３１０及び第２ミラーユニット３１１はモータ３０９により駆動される。
【００２４】
〔スキャナＩＰ部２０２の構成〕
図４を用いてスキャナＩＰ部２０２について説明する。入力された光学的信号は、ＣＣＤセンサ３０８により電気信号に変換される。このＣＣＤセンサ３０８はＲＧＢ３ラインのカラーセンサであり、ＲＧＢそれぞれの画像信号としてＡ／Ｄコンバータ４０１で、各色信号毎に８ｂｉｔのデジタル画像信号ＲＯ，ＧＯ，ＢＯに変換される。その後、４０２のシェーディング補正で色ごとに、基準白色版の読み取り信号を用いた、公知のシェーディング補正が施される。更に、ＣＣＤセンサ３０８の各色ラインセンサは、相互に所定の距離を隔てて配置されているためラインディレイ調整回路（ライン補間部）４０３において、副走査方向の空間的ずれが補正される。
【００２５】
次に、入力マスキング部４０４はＣＣＤセンサ３０８のＲ，Ｇ，Ｂフィルタの分光特性で決まる読取色空間を、ＮＴＳＣの標準色空間に変換する部分であり、ＣＣＤセンサ３０８の感度特性／照明ランプのスペクトル特性等の諸特性を考慮した装置固有の定数を用いた３×３のマトリックス演算を行い、入力された（ＲＯ，ＧＯ，ＢＯ）信号を標準的な（Ｒ，Ｇ，Ｂ）信号ｓｄａｔａに変換する。４０５はパターン認識部であり、画像信号の予め決められた特定のパターンを認識し、パターン認識信号ｒｅｃｏｇを出力する。パターン認識信号ｒｅｃｏｇは図示されないＣＰＵの割り込み信号として出力される。後画像信号ｄａｔａはコア部２０６へと送られる。
【００２６】
〔ＮＩＣ部２０４の構成〕
図５を用いてＮＩＣ部２０４について説明する。ネットワーク１０１に対してのインターフェイスの機能を持つのが、このＮＩＣ部２０４であり、例えば１０Ｂａｓａ−Ｔ／１００Ｂａｓｅ−ＴＸなどのＥｔｈｅｒｎｅｔ（Ｒ）ケーブルなどを利用して外部からの情報を入手したり、外部へ情報を流す役割を果たす。
【００２７】
外部より情報を入手する場合は、まず、トランス部５０１で電圧変換され、５０２のＬＡＮコントローラ部に送られる。ＬＡＮコントローラ部５０２は、その内部に第１バッファメモリ（不図示）を持っており、その情報が必要な情報か否かを判断した上で、第２バッファメモリ（不図示）に送った後、ＰＤＬ部２０５に信号を流す。
【００２８】
次に、外部に情報を提供する場合には、ＰＤＬ部２０５より送られてきたデータは、ＬＡＮコントローラ部５０２で必要な情報を付加して、トランス部５０１を経由してネットワーク１０１に接続される。
【００２９】
〔ＰＤＬ部２０５の構成〕
次に、図５を用いてＰＤＬ部２０５の構成の説明する。コンピュータ１０３上で動作するアプリケーションソフトウェアによって作成された画像データは、文書、図形、写真等から構成されており、それぞれは、文字コード、図形コード及び、ラスタ画像データなどによる画像記述の要素の組み合わせから成っている。これが、いわゆるＰＤＬ（Ｐａｇｅ　Ｄｅｓｃｒｉｐｔｉｏｎ　Ｌａｎｇｕａｇｅ：ページ記述言語）であり、Ａｄｏｂｅ社のＰｏｓｔＳｃｒｉｐｔ（登録商品）言語に代表されるものである。
【００３０】
ＰＤＬ部２０５では、上記ＰＤＬデータからラスタ画像データへの変換処理を行う。まずＮＩＣ部２０４から送られてきたＰＤＬデータは、ＣＰＵ部５０３を経由して一度ハードディスク（ＨＤＤ）のような大容量メモリ５０４に格納され、ここで各ジョブ毎に管理、保存される。次に、必要に応じて、ＣＰＵ部５０３は、ＲＩＰ（Ｒａｓｔｅｒ　Ｉｍａｇｅ　Ｐｒｏｃｅｓｓｉｎｇ）と呼ばれるラスタ化画像処理を行って、ＰＤＬデータをラスタイメージに展開する。展開されたラスタイメージデータは、ＣＭＹＫの色成分毎ＤＲＡＭなどの高速アクセス可能なメモリ５０５にジョブ毎にページ単位で格納され、プリンタ部２０９の状況に合わせて、再びＣＰＵ部５０３を介して、コア部２０６へ送られる。
【００３１】
〔コア部２０６の構成〕
図６を用いてコア部２０６について説明する。コア部２０６のバスセレクタ部６０１は、ＭＦＰ１０４の利用における、いわば交通整理の役割を担っている。すなわち、複写機能、ネットワークスキャン、ネットワークプリンタ、ファクシミリ送信／受信、あるいは、ディスプレイ表示などＭＦＰ１０４における各種機能に応じてバスの切り替えを行うところである。
【００３２】
以下に各機能を実行するためのバスの切り替えのパターンを示す。
【００３３】
・複写機能：スキャナ部２０１→コア部２０６→プリンタ部２０９
・ネットワークスキャン：スキャナ部２０１→コア部２０６→ＮＩＣ部２０４
・ネットワークプリンタ：ＮＩＣ部２０４→コア部２０６→プリンタ部２０９
・ファクシミリ送信機能：スキャナ部２０１→コア部２０６→ＦＡＸ部２０３
・ファクシミリ受信機能：ＦＡＸ部２０３→コア部２０６→プリンタ部２０９
・ディスプレイ表示機能：スキャナ部２０１又はＦＡＸ部２０３又はＮＩＣ部２０４→コア部２０６→ディスプレイ部２１１
【００３４】
次に、バスセレクタ部６０１を出た画像データは、圧縮部６０２、ハードディスク（ＨＤＤ）などの大容量メモリからなるメモリ部６０３及び、伸張部６０４を介してプリンタ部２０９（ＰＷＭ部２０８）又はディスプレイ部２１１へ送られる。圧縮部６０２で用いられる圧縮方式は、ＪＰＥＧ、ＪＢＩＧ，ＺＩＰなど一般的なものを用いればよい。圧縮された画像データは、ジョブ毎に管理され、ファイル名、作成者、作成日時、ファイルサイズなどの付加データと一緒に格納される。
【００３５】
更に、ジョブの番号とパスワードを設けて、それらも一緒に格納すれば、パーソナルボックス機能をサポートすることができる。これは、データの一時保存や特定の人にしかプリントアウト（ＨＤＤからの読み出し）ができない様にするたの機能である。記憶されているジョブのプリントアウトの指示が行われた場合には、パスワードによる認証を行った後にメモリ部６０３より呼び出し、画像伸張を行ってラスタイメージに戻してプリンタＩＰ部２０７に送られる。
【００３６】
〔プリンタＩＰ部２０７の構成〕
図７を用いてプリンタＩＰ部２０７について説明する。
【００３７】
７０１は輝度／濃度変換部（ＬＯＧ変換部）であり、ルックアップテーブル（ＬＵＴ）ＲＡＭにより構成され、ＲＧＢの輝度信号が入力された場合、Ｃ１，Ｍ１，Ｙ１の濃度信号になるように変換される。なお、コア部２０６よりＣＭＹＫの濃度信号が入力された場合は、そのまま出力される。
【００３８】
７０２は出力マスキング／ＵＣＲ回路図であり、Ｃ１，Ｍ１，Ｙ１信号を画像形成装置のトナー色であるＣ，Ｍ，Ｙ，Ｋ信号に補正して出力する。なお、コア部２０６よりＣＭＹＫの濃度信号が入力された場合は、そのまま出力される。
【００３９】
次に、ガンマ補正部７０３にて、トナーの色味諸特性を考慮したルックアップテーブル（ＬＵＴ）ＲＡＭを使って画像出力のためのＣ，Ｍ，Ｙ，Ｋデータに変換され、空間フィルタ７０４にて、エッジ強調または、スムージングが施される。
【００４０】
７０５はドラム遅延部であり、各色毎の感光ドラム遅延に必要なメモリを含んでいる。詳細は、後ほど説明する。ドラム遅延部７０５で各色毎に遅延された画像信号は、ＰＷＭ部２０８に送られる。
【００４１】
〔ＰＷＭ部２０８の構成〕
図８によりＰＷＭ部２０８の説明をする。プリンタＩＰ部２０７を出たイエロー（Ｙ）、マゼンダ（Ｍ）、シアン（Ｃ）、ブラック（Ｋ）の４色に色分解された多値画像データは、それぞれのＰＷＭ部２０８を通ってそれぞれ画像形成される。８０１は三角波発生部、８０２は入力されるデジタル画像信号をアナログ信号に変換するＤ／Ａコンバータ（Ｄ／Ａ変換部）である。三角波発生部８０１からの信号（図８（２）のａ）及びＤ／Ａコンバータ８０２からの信号（図８（２）のｂ）は、コンパレータ８０３で大小比較されて、図８（２）のｃのような信号となってレーザ駆動部８０４に送られ、ＣＭＹＫそれぞれが、ＣＭＹＫそれぞれのレーザ発振器８０５でレーザビームに変換される。
【００４２】
そして、ポリゴンスキャナ９１３で、それぞれのレーザビームを走査して、それぞれの感光ドラム９１７、９２１、９２５、９２９に照射される。
【００４３】
〔ＭＦＰ１０４のプリンタ部２０９の構成（４ドラムタイププリンタ）〕
図９に、４ドラムタイプカラープリンタ部の概要図を示す。９１３は、ポリゴンミラーであり、４つの半導体レーザ発振器８０５より発光された４本のレーザ光を受ける。その内の１本はミラー９１４、９１５、９１６をへて感光ドラム９１７を走査し、次の１本はミラー９１８、９１９、９２０をへて感光ドラム９２１を走査し、次の１本は９２２、９２３、９２４をへて感光ドラム９２５を走査し、次の１本はミラー９２６、９２７、９２８をへて感光ドラム９２９を走査する。
【００４４】
一方、９３０はイエロー（Ｙ）のトナーを供給する現像器であり、レーザ光に従い、感光ドラム９１７上にイエローのトナー像を形成し、９３１はマゼンタ（Ｍ）のトナーを供給する現像器であり、レーザ光に従い、感光ドラム９２１上にマゼンタのトナー像を形成し、９３２はシアン（Ｃ）のトナーを供給する現像器であり、レーザ光に従い、感光ドラム９２５上にシアンのトナー像を形成し、９３３はブラック（Ｋ）のトナーを供給する現像器であり、レーザ光に従い、感光ドラム９２９上にブラックのトナー像を形成する。以上４色（Ｙ，Ｍ，Ｃ，Ｋ）のトナー像がシートに転写され、フルカラーの出力画像を得ることができる。
【００４５】
シートカセット９３４、９３５および、手差しトレイ９３６のいずれかより供給されたシートは、レジストローラ９３７をへて、転写ベルト９３８上に吸着され、搬送される。給紙のタイミングと同期がとられて、予め感光ドラム９１７、９２１、９２５、９２９には各色のトナーが現像されており、シートの搬送とともに、トナーがシートに転写される。各色のトナーが転写されたシートは、分離され、搬送ベルト９３９により搬送され、定着器９４０によって、トナーがシートに定着される。定着器９４０を抜けたシートはフラッパ９５０によりいったん下方向へ導かれてシートの後端がフラッパ９５０を抜けた後、スイッチバックさせて排出する。これによりフェイスダウン状態で排出され、先頭頁から順にプリントしたときに正しい順となる。
【００４６】
なお、４つの感光ドラム９１７、９２１、９２５、９２９は、距離ｄをおいて、等間隔に配置されており、搬送ベルト９３９により、シートは一定速度ｖで搬送されており、このタイミング同期がなされて、４つの半導体レーザ８０５は駆動される。
【００４７】
〔ディスプレイ部２１１の構成〕
図１０に、ディスプレイ部２１１を示す。コア部２０６より出力された画像信号は、ＣＭＹＫデータであるため、逆ＬＯＧ変換部１００１でＲＧＢデータに変換する必要がある。次に、出力されるＣＲＴなどのディスプレイ装置１００４の色の特性に合わせるためにガンマ変換部１００２でルックアップテーブルを使用して出力変換を行う。変換された画像データは、一度メモリ部１００３に格納されて、ＣＲＴなどのディスプレイ装置１００４によって表示させる。
【００４８】
ここで、ディスプレイ部２１１を使用するのは、出力画像を予め確認するプレビュー機能や出力する画像が意図したものと間違いないか検証するプルーフ機能、あるいは、プリントの必要がないかを確認するな場合にプリントシートの無駄を省く為である。
【００４９】
〔フィニッシャ部２１０の構成〕
図１１に、フィニッシャ部２１０の概観図を示す。プリンタ部２０９の定着部９４０を出たシートは、フィニッシャ部２１０に入る。フィニッシャ部２１０には、サンプルトレイ１１０１とスタックトレイ１１０２があり、ジョブの種類や排出されるシートの枚数に応じて切り替えて排出される。
【００５０】
ソート方式には２通りあり、複数のビンを有して各ビンに振り分けるビンソート方式と、後述の電子ソート機能とビン（または、トレイ）を奥／手前方向にシフトしてジョブ毎に出力シートを振り分けるシフトソート方式によりソーティングを行うことができる。電子ソート機能は、コレートと呼ばれ、前述のコア部２０６で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００５１】
更に、スタックトレイ１１０２に排出する場合には、シートが排出される前のシートをジョブ毎に蓄えておき、排出する直前にステープラ１１０５にてバインドすることも可能である。このほか、上記２つのトレイに至るまでに、紙をＺ字状に折るためのＺ折り器１１０４、ファイル用の２つの（または３つ）の穴開けを行うパンチャ１１０６があり、ジョブの種類に応じてそれぞれの処理を行う。
【００５２】
更に、サドルステッチャ１１０７は、シートの中央部分を２ヶ所バインドした後に、シートの中央部分をローラにかませることによりシートを半折にし、週刊誌やパンフレットのようなブックレットを作成する処理を行う。サドルステッチャ１１０７で作成されたシートは、ブックレットトレイ１１０８に排出される。
【００５３】
そのほか、図には記載されていないが、製本のためのグルー（糊付け）によるバインドや、あるいは、バインド後にバインド側と反対側の端面を揃えるためのカッティングなどを加えることも可能である。
【００５４】
また、インサータ１１０３はトレイ１１１０にセットされたシートをプリンタを通さずにサンプルトレイ１１０１、スタックトレイ１１０２、ブックレットトレイ１１０８のいずれかに送るためのものである。これによってフィニッシャ２１０に送り込まれるシートとシートの間にインサータ１１０３にセットされたシートをインサート（中差し）することができる。インサータ１１０３のトレイ１１１０にはユーザによりフェイスアップの状態でセットされるものとし、ピックアップローラ１１１１により最上部のシートから順に給送する。従って、インサータ１１０３からのシートはそのままサンプルトレイ１１０１、スタックトレイ１１０２へ排出することによりフェイスダウン状態で排出される。サドルステッチャ１１０７へ送るときには、一度パンチャ１１０６側へ送り込んだ後スイッチバックさせて送り込むことによりフェースの向きを合わせる。
【００５５】
〔ドラム遅延部７０５の構成〕
図１２にマゼンダＭ、シアンＣ、ブラックＫのうちの１色分のドラム遅延部７０５の内部ブロック図を示す。イエローＹのみは、ドラム遅延を行わずにそのままドラム遅延部７０５から出力される。
【００５６】
まず始めに、感光ドラムと出力される画像サイズの関係を図１７、図１８を用いて説明する。図１７、図１８において、１７０１と１７０２はそれぞれ現像色の異なる感光ドラムであり、１７０３は１ページ目の出力画像である。１７０４および１７０５はそれぞれ２ページ目の出力画像である。ｄは感光ドラムの間隔であり、ｉは１ページ目と２ページ目の出力画像との間隔である。図１７の１ページ目と２ページ目の出力画像サイズは同じである。図１８は、１ページ目と２ページ目の出力画像サイズは異なる例である。
【００５７】
図１２において１２０１は同期制御部であり、１２０２はデータ変換部、１２０３はアドレス生成部、１２０４はＲＡＭ制御部、１２０５はＳＤＲＡＭ　（ｓｙｎｃｈｒｏｎｏｕｓ　ＤＲＡＭ）である。
【００５８】
同期制御部１２０１には、以下に示す画像同期信号が入力される。
【００５９】
ｖｓｙｎｃ＿ｉｎ　＝副走査方向の同期スタート信号
ｖｅｎｂ＿ｉｎ　＝副走査方向の有効区間信号
ｈｓｙｎｃ＿ｉｎ　＝主走査方向の同期スタート信号
ｈｅｎｂ＿ｉｎ　＝主走査方向の有効区間信号
ｐｖｓｙｎｃ＿ｉｎ　＝プリンタの副走査起動信号
ｐｈｓｙｎｃ＿ｉｎ　＝プリンタの主走査起動信号
上記信号は、それぞれＬレベルでアクティブとする。
【００６０】
ここで、ｖｅｎｂ＿ｉｎ及びｈｅｎｂ＿ｉｎは、入力される画像サイズに応じてページ毎に変化する。また、ｐｖｓｙｎｃ＿ｉｎ及びｐｈｓｙｎｃ＿ｉｎはプリンタから入力される画像信号を要求する起動信号であり、入力タイミングは各色ごとに異なる。
【００６１】
さらにパターン認識割り込み信号ｒｅｃ＿ｉｎｔが入力される。
【００６２】
パターン認識割り込み信号ｒｅｃ＿ｉｎｔは、パターン認識部４０５から出力されるパターン認識信号ｒｅｃｏｇに基づき図示されないＣＰＵにより出力されるポート信号であり、スキャナＩＰ部２０２から出力される画像データがドラム遅延部７０５に入力されるタイミングに同期している。
【００６３】
同期制御部１２０１からは、以下の制御信号を出力する。
【００６４】
ｃｏｕｎｔ１６　＝４ビットカウンタから構成され、１６サイクルをカウントする１６カウンタ信号
ｖｅｎｂ＿ｗｒ　＝データライト用の副走査有効区間信号
ｈｅｎｂ＿ｗｒ　＝データライト用の主走査有効区間信号
ｖｅｎｂ＿ｒｄ　＝データリード用の副走査有効区間信号
ｈｅｎｂ＿ｒｄ　＝データリード用の主走査有効区間信号
ｈｅｎｂ＿ｖｏ　＝データ出力用の主走査有効区間信号
ｈｅｎｂ＿ｒｅｆ　＝ＳＤＲＡＭのリフレッシュ制御用の主走査有効区間信号
ｍａｓｋ　＝データ変換制御信号
上記信号は、ｃｏｕｎｔ１６を除きＨレベルでアクティブとする。
【００６５】
データ変換部１２０２は、空間フィルタ７０４から４ビットの画像データｄａｔａ＿ｉｎが入力され、４画素毎に１６ｂｉｔのデータとして一時記憶された後、同期生成部１２０１からの同期信号により、所定のタイミングで１６ｂｉｔのデータをＳＤＲＡＭ１２０５へ転送され、ＳＤＲＡＭでライトされる。また、ＳＤＲＡＭからリードされされた１６ｂｉｔの画像データを４ｂｉｔｘ４画素分に変換してｄａｔａ＿ｏｕｔとして出力される。また、データ変換制御信号ｍａｓｋがＨのとき、出力データの変換を行う。出力データが所定のデータ値以下の場合は、所定値に変換して出力する。
【００６６】
アドレス生成部１２０３は、同期生成部１２０１からの制御信号により、ＳＤＲＡＭ１２０５のアドレスを生成する。アドレスは、ライト用とリード用のアドレスをそれぞれ持ち、同期制御部１２０１からの同期信号ｖｅｎｂ＿ｗｒとｈｅｎｂ＿ｗｒがアクティブの時に１６サイクルごとにライト用アドレスが更新される。同様にｖｅｎｂ＿ｒｄとｈｅｎｂ＿ｒｄがアクティブの時に１６サイクルごとにリード用アドレスが更新される。それぞれのアドレスはＳＤＲＡＭ１２０５のアドレス形式に変換されＳＤＲＡＭアドレスｒａｍ＿ａｄ及びＳＤＲＡＭバンクアドレスｒａｍ＿ｂａとして出力される。
【００６７】
ＲＡＭ制御部１２０４は、同期生成部１２０１からの制御信号により、ＳＤＲＡＭ１２０５のリードライトのコマンド制御に必要な信号であるチップセレクト信号ｒａｍ＿ｃｓ、ＲＡＳ信号ｒａｍ＿ｒａｓ、ＣＡＳ信号ｒａｍ＿ｃａｓ、ライト信号ｒａｍ＿ｗｅをそれぞれ生成する。また、ｈｅｎｂ＿ｒｅｆ信号に応じてＳＤＲＡＭ１２０５のリフレッシュ動作に必要なコマンド制御の生成を行う。
【００６８】
〔ドラム遅延部７０５の制御タイミング〕
図１３にドラム遅延部７０５の主走査方向の制御タイミングチャートを示す。ドラム遅延部７０５では、主走査有効区間信号ｈｅｎｂ＿ｉｎの長さをページごとに記憶する手段を持ち、３ページ分記憶することが可能である。図１３においてまず、１ページ目の副走査有効区間信号ｖｅｎｂ＿ｉｎが入力される（ｐａｇｅ０＿ｗｒ）。さらに、主走査有効区間信号ｈｅｎｂ＿ｉｎと同時に画像信号ｄａｔａ＿ｉｎが入力される。データは１ページ目の主走査有効区間（ｄａｔａ＿ｖａｌｉｄ＿ｐ０）分入力され、１６クロック分を１つのブロック（ｗ０）として一時記憶され、以下１６クロック単位でブロックにまとめられる（ｗ１，ｗ１）。一時記憶された画像データは、ライト用主走査有効区間ｈｅｎｂ＿ｗｒの区間でｒａｍ＿ｄａｔａとしてＳＤＲＡＭ１２０５へ出力され、複数の画像データがＳＤＲＡＭ１２０５に記憶される。なお、主走査有効区間（ｄａｔａ＿ｖａｌｉｄ＿ｐ０）の長さは、別の記憶手段により記憶されている。以下同様に、次のラインのデータｗ３，ｗ４，ｗ５が入力され、同様にＳＤＲＡＭ１２０５に書き込まれる。
【００６９】
次に、プリンタから１ページ目の副走査起動信号ｐｖｓｙｎｃ＿ｉｎ及び主走査起動信号ｐｈｓｙｎｃ＿ｉｎが入力されると（ｐａｇｅ０＿ｒｄ）、同期制御部１２０１によりリード用主走査有効区間信号ｈｅｎｂ＿ｒｄを生成する。このリード用主走査有効区間信号ｈｅｎｂ＿ｒｄは、記憶されていた主走査有効区間（ｄａｔａ＿ｖａｌｉｄ＿ｐ０）と同じ区間を生成する。リード用主走査有効区間信号ｈｅｎｂ＿ｒｄのうちライト動作をしていない区間でＳＤＲＡＭ１２０５からリード動作を行い、ライトデータｗ０に対応した１６ｂｉｔの画像データｒ０の読み出しを行う。読み出された画像データｒ０は、データ変換部１２０２で４ｂｉｔの画像データに変換されｄａｔａ＿ｏｕｔとして出力される。以下同様に１６クロック毎にｒ１，ｒ２のデータが出力される。
【００７０】
次に、２ページ目の副走査有効区間信号ｖｅｎｂ＿ｉｎが入力された場合を説明する。（ｐａｇｅ１＿ｗｒ）。２ページ目の主走査区間信号の長さｄａｔａ＿ｖａｌｉｄ＿ｐ１が、１ページ目の主走査区間信号の長さｄａｔａ＿ｖａｌｉｄ＿ｐ０とは異なる場合を示す。入力されたデータは２ページ目の主走査有効区間（ｄａｔａ＿ｖａｌｉｄ＿ｐ１）分入力され、１６クロック分を１つのブロック（ｗａ）として一時記憶され、以下１６クロック単位でブロックにまとめられる（ｗａ，ｗｂ）。一時記憶された画像データは、ライト用主走査有効区間ｈｅｎｂ＿ｗｒの区間でｒａｍ＿ｄａｔａとしてＳＤＲＡＭ１２０５へ出力され、複数の画像データがＳＤＲＡＭ１２０５に記憶される。なお、主走査有効区間（ｄａｔａ＿ｖａｌｉｄ＿ｐ１）の長さは、別の記憶手段により記憶されている。
【００７１】
次に、プリンタから主走査起動信号ｐｈｓｙｎｃ＿ｉｎが入力されると、ＳＤＲＡＭ１２０５から１ページ目の画像データｗ３に対応する１６ｂｉｔの画像データｒ３を読み出して、４ｂｉｔの画像データに変換後ｄａｔａ＿ｏｕｔとして出力される。以下同様にｒ４，ｒ５の画像データが読み出される。ここで、リード用の主走査有効区間信号ｈｅｎｂ＿ｒｄは、記憶されている１ページ目の主走査区間信号の長さｄａｔａ＿ｖａｌｉｄ＿ｐ０分だけ出力されることになる。
【００７２】
さらに、プリンタから２ページ目の副走査起動信号ｐｖｓｙｎｃ＿ｉｎ及び主走査起動信号ｐｈｓｙｎｃ＿ｉｎが入力されると（ｐａｇｅ１＿ｒｄ）、ＳＤＲＡＭ１２０５から２ページ目の画像データｗａに対応する１６ｂｉｔの画像データｒａを読み出して、４ｂｉｔの画像データに変換後ｄａｔａ＿ｏｕｔとして出力される。以下同様にｗｂの画像データが読み出される。ここで、リード用の主走査有効区間信号ｈｅｎｂ＿ｒｄは、記憶されている２ページ目の主走査区間信号の長さｄａｔａ＿ｖａｌｉｄ＿ｐ１分だけ出力されることになる。
【００７３】
このようにして、ライト時の主走査有効区間信号ｈｅｎｂ＿ｉｎの長さを３ページ分（ｄａｔａ＿ｖａｌｉｄ＿ｐ０，ｄａｔａ＿ｖａｌｉｄ＿ｐ１，ｄａｔａ＿ｖａｌｉｄ＿ｐ２）記憶しておき、リード時に各ページに対応したリード用の有効区間信号ｈｅｎｂ＿ｒｄを生成することになる。こうすることにより、異なるページのＳＤＲＡＭのライトとリードが同じ区間になった場合でも、途中で設定を変更する事無く問題なく動作するとことが可能となる。
【００７４】
〔ドラム遅延部７０５のクロック制御〕
図１４は、ドラム遅延部７０５のクロック単位での制御のタイミングチャートである。図１４を用いて、図１３のドラム遅延部の制御タイミングチャートに対してクロック単位での制御の説明を行う。なお、ＳＤＲＡＭ１２０５は予め、定義されている必要な初期設定およびモード設定が不図示の回路により行われているものとする。このとき、ＳＤＲＡＭ１２０５はＣＡＳレイテンシが３であり、バーストモードが４のように設定されているものとする。図１４において、同期制御部１２０１から出力される１６カウンタｃｏｕｎｔ１６により０から１５まで繰り返しカウントされる。リード用主走査有効区間ｈｅｎｂ＿ｒｄがアクティブのとき、１６カウンタ０から７まででリード動作を行い、ライト用主走査有効区間ｈｅｎｂ＿ｗｒがアクティブのとき、１６カウンタ８から１５まででライト動作を行う。また、リフレッシュ有効区間ｈｅｎｂ＿ｒｅｆがアクティブのとき、１６カウンタ８から１５まででＳＤＲＡＭ１２０５のリフレッシュ動作を行う。ただし、ライト用主走査有効区間ｈｅｎｂ＿ｗｒがアクティブのときは、リフレッシュ有効区間ｈｅｎｂ＿ｒｅｆがアクティブとはならない設定となっている。
【００７５】
１６カウンタ０のとき、ＳＤＲＡＭ１２０５の仕様で定義されるアクティブコマンドＡＣＴを転送するために、ＲＡＭ制御部１２０４からｒａｍ＿ｃｓ，ｒａｍ＿ｒａｓ，ｒａｍ＿ｃａｓ，ｒａｍ＿ｗｅの各信号を出力するとともに、アドレス生成部１２０３からリードデータ用のＲＡＭアドレス信号ｒａｍ＿ａｄのうちロウアドレスに相当する信号およびｒａｍ＿ｂａ信号を転送する。次に１６カウンタ１のとき、ＳＤＲＡＭ１２０５の仕様で定義されるリードコマンドＲＤＡを転送するために、ＲＡＭ制御部１２０４から各信号を出力するとともに、アドレス生成部１２０３からリードデータ用のＲＡＭアドレス信号ｒａｍ＿ａｄのうちカラムアドレスに相当する信号およびｒａｍ＿ｂａ信号を転送する。１６カウンタ４のときＳＤＲＡＭ１２０５から１６ｂｉｔのＲＡＭデータｒａｍ＿ｄａｔａがリードデータＤｉ０として出力され、以下リードデータＤｉ１、リードデータＤｉ２、リードデータＤｉ３と連続して１６ｂｉｔの画像データが出力される。
【００７６】
１６カウンタ８のとき、ＳＤＲＡＭ１２０５の仕様で定義されるアクティブコマンドＡＣＴを転送するために、ＲＡＭ制御部１２０４から各信号を出力するとともに、アドレス生成部１２０３からライトデータ用のＲＡＭアドレス信号ｒａｍ＿ａｄのうちロウアドレスに相当する信号およびｒａｍ＿ｂａ信号を転送する。次に１６カウンタ９のとき、ＳＤＲＡＭ１２０５の仕様で定義されるライトコマンドＷＲＡを転送するために、ＲＡＭ制御部１２０４から各信号を出力するとともに、アドレス生成部１２０３からライトデータ用のＲＡＭアドレス信号ｒａｍ＿ａｄのうちカラムアドレスに相当する信号およびｒａｍ＿ｂａ信号を転送する。また同時に１６ｂｉｔのライトデータＤｏ０をＳＤＲＡＭ１２０５に出力する。以下ライトデータＤｏ１、ライトデータＤｏ２、ライトデータＤｏ３と連続して１６ｂｉｔの画像データをＳＤＲＡＭ１２０５に出力する。
【００７７】
次に１６カウンタが０に戻り、１６カウンタ０から７までの間に同様なリード動作を行う。次に１６カウンタが８のとき、リフレッシュ有効区間ｈｅｎｂ＿ｒｅｆがアクティブのため、ＳＤＲＡＭ１２０５の仕様で定義されるリフレッシュコマンドＲＥＦを転送するため、ＲＡＭ制御部１２０４から各信号を出力する。以下、１６カウンタ１２のときも同様に、リフレッシュコマンドＲＥＦを転送する。
【００７８】
〔ドラム遅延部７０５の副走査制御〕
図１５、図１６は、ドラム遅延部７０５の副走査方向の制御のタイミングチャートである。図１５、図１６においてｌｉｎｅ０，１，２・・・は副走査方向のライン数を表している。また、ｐａｇｅ＿ｗｒとｐａｇｅ＿ｒｄは、それぞれライト時とリード時のページの管理を行うカウンタでありページ毎に０，１，２，０・・・とカウントアップを行う。ただし、図１５の例ではページ数は１のためカウントは０のままである。また、ｖｅｎｂ＿ｒｄ＿ｃｎｔｒ０、ｖｅｎｂ＿ｒｄ＿ｃｎｔｒ１、ｖｅｎｂ＿ｒｄ＿ｃｎｔｒ２は、それぞれｐａｇｅ＿ｗｒ，ｐａｇｅ＿ｒｄの各ページに対応した副走査方向のリードライト動作を管理するアップダウンカウンタである。それぞれ、ライト動作時はライン毎にカウントアップ、リード動作時はライン毎にカウントダウンを行う。例えば、ｖｅｎｂ＿ｒｄ＿ｃｎｔｒ２は、ｐａｇｅ＿ｗｒ＝２かつｖｅｎｂ＿ｉｎ＝０のときライン毎にカウントアップし、ｐａｇｅ＿ｒｄ＝２かつｖｅｎｂ＿ｒｄ＿ｃｎｔｒ２が０で無ければライン毎にカウントダウンを行う。また、ａｄ＿ｗｒとａｄ＿ｒｄはそれぞれライトアドレスとリードアドレスがライン毎に変化する様子を概略的に示したものであり、アドレスの最大値である９の次は０に戻るようになっている。
【００７９】
図１５は、ドラム間隔より出力される画像の副走査長さの方が長い場合を示しており、ドラム間隔が５ラインで、出力画像の副走査長さが１６ラインとなっている。ライン０にて、副走査有効区間信号ｖｅｎｂ＿ｉｎと画像データｄａｔａ＿ｉｎが入力されると、カウンタｖｅｎｂ＿ｒｄ＿ｃｎｔｒ０はｖｅｎｂ＿ｉｎ＝０のとき（画像データが入力されているとき）、ライン毎にカウントアップを行い、ライン７にて５までカウントアップしている。次に、プリンタの副走査起動信号ｐｖｓｙｎｃ＿ｉｎが入力されるとリード用副走査区間信号を１に設定する。またｖｅｎｂ＿ｒｄ＿ｃｎｔｒ０はライン８で一旦６にカウントアップするが、リード動作を行っているため同じライン中に５にカウントダウンを行う。以後、ライン１８まではライト動作とリード動作を同時に行っているため、カウンタｖｅｎｂ＿ｒｄ＿ｃｎｔｒ０は６と５のみカウントしている。さらに、ライン１９ではライト動作が終了し（画像データが入力されないため）、カウンタｖｅｎｂ＿ｒｄ＿ｃｎｔｒ０は４にカウントダウンし、以後ライン２３では０までカウントダウンする。
【００８０】
カウンタｖｅｎｂ＿ｒｄ＿ｃｎｔｒ０が０になった次のライン２４で、リードの副走査有効区間信号ｖｎｅｂ＿ｒｄ＝０を設定しリード動作が終了する。
【００８１】
また、パターン認識割り込み信号ｒｅｃ＿ｉｎｔがライン１５の入力データｄａｔａ＿ｉｎ　Ｖ１１からＶ１５までの区間入力されたとき、ｐａｇｅ＿ｗｒ＝０かつｐａｇｅ＿ｒｄ＝０であるため、入力データｄａｔａ＿ｉｎと出力データｄａｔａ＿ｏｕｔが同じページであることを示している。このとき、データ変換制御信号ｍａｓｋをすぐにアクティブＨにすることにより、出力データｄａｔａ＿ｏｕｔはライン１５のＶ６からＶ１５まで変換されて出力されることになる。このようにドラム間隔分だけ前にさかのぼって画像データを変換することが可能となる。
【００８２】
図１６は、ドラム間隔より出力される画像の副走査長さの方が短く、かつページ毎に副走査長さが異なる場合を示しており、ドラム間隔が７ラインで、出力画像の副走査長さが１ページ目３ライン、２ページ目６ライン、３ページ目４ライン、４ページ目２ライン、５ページ目２ラインとなっている。ライン１からライン３まで１ページ目のデータが入力され、ｐａｇｅ＿ｗｒ＝０として、カウンタｖｅｎｂ＿ｒｄ＿ｃｎｔｒ０が３までカウントアップする。次に、ライン６からライン１１まで２ページ目のデータが入力され、ｐａｇｅ＿ｗｒ＝１にカウントアップするとともに、カウンタｖｅｎｂ＿ｒｄ＿ｃｎｔｒ１が６までカウントアップする。また、ライン８から１ページ目のデータリードがスタートし、ｐａｇｅ＿ｒｄ＝０として以後カウンタｖｅｎｂ＿ｒｄ＿ｃｎｔｒ０がカウントダウンを行い、ライン１０でカウント０となり、ライン１１でリード用副走査区間信号ｖｅｎｂ＿ｒｄ＝０とすることにより１ページ目のリード動作を止める。さらに、ライン１３から２ページ目のデータリードがスタートし、ｐａｇｅ＿ｒｄ＝１にカウントアップするとともに、カウンタｖｅｎｂ＿ｒｄ＿ｃｎｔｒ１がカウントダウンを行い、ライン１８でカウント０となり、ライン１９でリード用副走査区間信号ｖｅｎｂ＿ｒｄ＝０とすることにより２ページ目のリード動作を止める。また、ライン１４から１７まで３ページ目のデータが入力され、ｐａｇｅ＿ｗｒ＝２にカウントアップするとともに、カウンタｖｅｎｂ＿ｒｄ＿ｃｎｔｒ２が４までカウントアップする。そして、ライン２０から２１まで４ページ目のデータが入力され、ｐａｇｅ＿ｗｒ＝０に戻るとともに、カウンタｖｅｎｂ＿ｒｄ＿ｃｎｔｒ０が２までカウントアップする。以下同様にして、データ入力によるライト動作とリード動作が繰り返される。
【００８３】
このようにして、リード時の副走査有効区間信号ｖｅｎｂ＿ｉｎを３つのカウンタ（ｖｅｎｂ＿ｒｄ＿ｃｎｔｒ０，ｖｅｎｂ＿ｒｄ＿ｃｎｔｒ１，ｖｅｎｂ＿ｒｄ＿ｃｎｔｒ２）で管理することにより、ドラム間隔より出力される画像の副走査長さの方が短く、かつページ毎に副走査長さが異なる場合においても、ページ毎に設定を変えることなく問題なく動作することが可能となる。
【００８４】
また、パターン認識割り込み信号ｒｅｃ＿ｉｎｔがライン１０のｐａｇｅ１の入力データｄａｔａ＿ｉｎ　Ｖ７のみ入力されたとき、ｐａｇｅ＿ｗｒ＝１かつｐａｇｅ＿ｒｄ＝０であるため、入力データｄａｔａ＿ｉｎと出力データｄａｔａ＿ｏｕｔが異なるページであることを示している。このとき、データ変換制御信号ｍａｓｋをすぐにアクティブＨにしないで、ｐａｇｅ＿ｒｄ＝１の区間であるライン１３から２０までアクティブＨにする。このとき、出力データｄａｔａ＿ｏｕｔはｐａｇｅ１のＶ３からＶ８まで変換されて出力されることになる。また、次のページｐａｇｅ２の出力データｄａｔａ＿ｏｕｔは変換しない。このようにドラム間隔分だけ前にさかのぼってかつ必要とするページのみ画像データを変換することが可能となる。
【００８５】
［その他の実施例］
前記実施例では、３ページ分の主走査区間信号と副走査区間信号をそれぞれ管理していたが、さらにページ数を増やすことも可能である。この場合、ドラム間隔が出力される画像の副走査長さの３倍以上の場合でも、問題なく動作することが可能となる。すわなち、ドラム間隔がより広くなる大型の装置、または出力される用紙がより小さくなる場合にも対応することが可能となる。
【００８６】
【発明の効果】
以上説明してきたように、本発明ではスキャナから読み取られた画像信号の特徴データをに基づき、感光ドラムの間隔分の画像データを遅延するメモリのリードライトをページごとに管理することにより、目的とするページのみの画像データを変換することを可能とした。
【図面の簡単な説明】
【図１】本発明の実施形態のシステム全体を示す図
【図２】画像形成装置全体のブロック図
【図３】画像形成装置のスキャナ部を示す図
【図４】画像形成装置のスキャナＩＰ部のブロック図
【図５】画像形成装置のＮＩＣ／ＰＤＬ部のブロック図
【図６】画像形成装置のコア部のブロック図
【図７】画像形成装置のプリンタＩＰ部のブロック図
【図８】画像形成装置のＰＷＭ部のブロック図
【図９】４ドラムカラー画像形成装置のプリンタ部を示す図
【図１０】画像形成装置のディスプレイ部のブロック図
【図１１】画像形成装置のフィニッシャ部を示す図
【図１２】ドラム遅延部の内部ブロック図
【図１３】ドラム遅延部の主走査制御タイミングチャート
【図１４】ドラム遅延部のクロック制御タイミングチャート
【図１５】ドラム遅延部の副走査制御タイミングチャート１
【図１６】ドラム遅延部の副走査制御タイミングチャート２
【図１７】感光ドラムと出力画像の相関図１
【図１８】感光ドラムと出力画像の相関図２
【符号の説明】
１０１　ネットワーク
１０２　コンピュータ（サーバ）
１０３ａ，１０３ｂ　コンピュータ（クライアント）
１０３　コンピュータ（クライアント）
１０４　ＭＦＰ（Ｍｕｌｔｉ　Ｆｕｎｃｔｉｏｎ　ｐｅｒｉｐｈｅｒａｌ：マルチファンクション周辺機器）
２０１　スキャナ部
２０２　スキャナＩＰ部
２０３　ＦＡＸ部
２０４　ＮＩＣ部
２０５　ＰＤＬ部
２０６　コア部
２０７　プリンタＩＰ部
２０８　ＰＷＭ部
２０９　プリンタ部
２１０　フィニッシャ部
２１１　ディスプレイ部
３０１　原稿台ガラス
３０２　原稿
３０３　照明ランプ
３０４，３０５，３０６　ミラー
３０７　レンズ
３０８　ＣＣＤ（ＣＣＤセンサ）
３０９　モータ
３１０　第１ミラーユニット
３１１　第２ミラーユニット
４０１　Ａ／Ｄコンバータ
４０２　シェーディング補正
４０３　ラインディレイ調整回路（ライン補間部）
４０４　入力マスキング部
４０５　パターン認識部
５０３　ＣＰＵ部
５０４　大容量メモリ（ＨＤＤ）
５０５　メモリ
６０１　バスセレクタ部
６０２　圧縮部
６０３　メモリ部
６０４　伸張部
７０１　輝度／濃度変換部（ＬＯＧ変換部）
７０２　出力マスキング／ＵＣＲ回路図
７０３　ガンマ補正部（ガンマ変換部）
７０４　空間フィルタ
７０５　ドラム遅延部
８０１　三角波発生部
８０２　Ｄ／Ａコンバータ（Ｄ／Ａ変換部）
８０３　コンパレータ
８０４　レーザ駆動部
８０５　レーザ発振器（半導体レーザ）
９１３　ポリゴンスキャナ（ポリゴンミラー）
９１４，９１５，９１６　ミラー
９１７，９２１，９２５，９２９　感光ドラム
９１８，９１９，９２０　ミラー
９２２，９２３，９２４　ミラー
９２６，９２７，９２８　ミラー
９３０，９３１，９３２，９３３　現像器
９３４，９３５　シートカセット
９３６　手差しトレイ
９３７　レジストローラ
９３８　転写ベルト
９３９　搬送ベルト
９４０　定着器（定着部）
９５０　フラッパ
１００１　逆ＬＯＧ変換部
１００２　ガンマ変換部
１００３　メモリ部
１００４　ディスプレイ装置（ＣＲＴ）
１１０１　サンプルトレイ
１１０２　スタックトレイ
１１０３　インサータ
１１０４　Ｚ折り器
１１０５　ステープラ
１１０６　パンチャ
１１０７　サドルステッチャ
１１０８　ブックレットトレイ
１１１０　トレイ
１１１１　ピックアップローラ
１２０１　同期制御部（同期生成部）
１２０２　データ変換部
１２０３　アドレス生成部
１２０４　ＲＡＭ制御部
１２０５　ＳＤＲＡＭ（ｓｙｎｃｒｏｎｏｕｓ　ＤＲＡＭ）
１７０１，１７０２　感光ドラム
１７０３　１ページ目の出力画像
１７０４，１７０５　２ページ目の出力画像
【図１】
2004015302.tif 000003
【図２】
2004015302.tif 000004
【図３】
2004015302.tif 000005
【図４】
2004015302.tif 000006
【図５】
2004015302.tif 000007
【図６】
2004015302.tif 000008
【図７】
2004015302.tif 000009
【図８】
2004015302.tif 000010
【図９】
2004015302.tif 000011
【図１０】
2004015302.tif 000012
【図１１】
2004015302.tif 000013
【図１２】
2004015302.tif 000014
【図１３】
2004015302.tif 000015
【図１４】
2004015302.tif 000016
【図１５】
2004015302.tif 000017
【図１６】
2004015302.tif 000018
【図１７】
2004015302.tif 000019
【図１８】
2004015302.tif 000020